(57)【特許請求の範囲】
【請求項１】
第１のボンディングパッドを有する第１の半導体チップと、前記第１の半導体チップの周囲に設けられた内部電極と、前記第１のボンディングパッドに設けられたボールバンプと、前記第１のボンディングパッド上の前記ボールバンプおよび前記内部電極を接続するボンディングワイヤと、前記第１の半導体チップおよび前記内部電極を被覆する絶縁樹脂とを有し、
前記ボンディングワイヤは、前記ボールバンプ上に固着され、
前記ボールバンプ上に一部残されてあるボンディングワイヤは、前記ボンディングワイヤのボールボンディングが活用されて設けられる半導体装置の製造方法であり、
先端にボールが配置されたキャピラリーを使い、前記第１のボンディングパッドに前記ボールを固着し、前記ボールの付け根付近の前記ボンディングワイヤが前記キャピラリーの内部に収納されないように、前記キャピラリーを上昇させ、
前記ボンディングワイヤの直径のほぼ３分の２を越える距離を前記キャピラリーを水平移動させることによって、細いボンディングワイヤを形成し、
前記細いボンディングワイヤが前記ボールと連続している状態で、前記ボンディングワイヤをクランプしてキャピラリーを上昇させることにより、前記細いボンディングワイヤを切断させて前記ボールバンプを形成することを特徴とした半導体装置の製造方法。
【請求項２】
第１のボンディングパッドを有する第１の半導体チップと、第２のボンディングパッドを有し、前記第１のボンディングパッドを露出するように前記第１の半導体チップの上に固着された第２の半導体チップと、前記第１の半導体チップの周囲に設けられた内部電極と、露出した前記第１のボンディングパッドに設けられたボールバンプと、前記第２のボンディングパッド、前記第１のボンディングパッド上の前記ボールバンプおよび前記内部電極を接続するボンディングワイヤと、前記第１の半導体チップ、前記第２の半導体チップおよび前記内部電極を被覆する絶縁樹脂とを有し、
前記ボンディングワイヤは、前記ボールバンプ上に固着され、
前記ボールバンプ上に一部残されてあるボンディングワイヤは、前記ボンディングワイヤのボールボンディングが活用されて設けられる半導体装置の製造方法であり、
先端にボールが配置されたキャピラリーを使い、前記第１のボンディングパッドに前記ボールを固着し、前記ボールの付け根付近の前記ボンディングワイヤが前記キャピラリーの内部に収納されないように、前記キャピラリーを上昇させ、
前記ボンディングワイヤの直径のほぼ３分の２を越える距離を前記キャピラリーを水平移動させることによって、細いボンディングワイヤを形成し、
前記細いボンディングワイヤが前記ボールと連続している状態で、前記ボンディングワイヤをクランプしてキャピラリーを上昇させることにより、前記細いボンディングワイヤを切断させて前記ボールバンプを形成することを特徴とした半導体装置の製造方法。
【請求項３】
前記ボンディングワイヤをクランプし水平方向に移動させることにより、剪断しながら前記細いボンディングワイヤを形成する請求項１または請求項２記載の半導体装置の製造方法。
【発明の詳細な説明】
【０００１】
【発明の属する技術分野】
本発明は、複数の半導体チップを重ね合わせてモールドしつつ、パッケージ外形の薄型化が可能な、半導体装置に関する。
【０００２】
【従来の技術】
半導体装置の封止技術として最も普及しているのが、図４（Ａ）に示したような、半導体チップ１の周囲を熱硬化性のエポキシ樹脂２で封止するトランスファーモールド技術である。半導体チップ１の支持素材としてリードフレームを用いており、リードフレームのアイランド３に半導体チップ１をダイボンドし、半導体チップ１のボンディングパッドとリード４をワイヤ５でワイヤボンドし、所望の外形形状を具備する金型内にリードフレームをセットし、金型内にエポキシ樹脂を注入、これを硬化させることにより製造される。
【０００３】
一方、各種電子機器に対する小型、軽量化の波はとどまるところを知らず、これらに組み込まれる半導体装置にも、一層の大容量、高機能、高集積化が望まれることになる。
【０００４】
そこで、以前から発想としては存在していた（例えば、特開昭５５ー１１１１５１７号）、１つのパッケージ内に複数の半導体チップを封止する技術が注目され、実現化する動きが出てきた。つまり図４（Ｂ）に示すように、アイランド３上に第１の半導体チップ１ａを固着し、第１の半導体チップ１ａの上に第２の半導体チップ１ｂを固着し、対応するボンディングパッドとリード４とを第１と第２のボンディングワイヤ５ａ、５ｂで接続し、樹脂２で封止したものである。
【０００５】
【発明が解決しようとする課題】
コストアップになるにも関わらず複数のチップを一体化させることは、即ち軽薄短小化の要求が極めて強いからに他ならない。故に外形寸法に余裕のあるＤＩＰ型パッケージよりは、表面実装型の、しかも薄型のパッケージに収納したい意向が強く、その方が全体としてのメリットが大きい。
【０００６】
しかしながら、半導体チップ１には、機械的強度を持たせる必要性から、ある程度の厚み以上には薄くすることができないので、チップを積層した分だけパッケージ外形を大型化する欠点がある。
【０００７】
また、第２のボンディングワイヤ５ｂは、第１の半導体チップ１ａとの接触を避けることと、第１のボンディングワイヤ５ａと交差したときの接触を避けるという意味で、ワイヤループを相当大きく取る必要性が生じる。そのため、ワイヤループの高さ６が大きくなりがちであり、これがパッケージ全体の厚みを厚くして、薄形化を阻害するという欠点があった。
【０００８】
【課題を解決するための手段】
本発明は、上述した従来例の課題に鑑みてなされたもので、第１に、
第１のボンディングパッドを有する第１の半導体チップと、前記第１の半導体チップの周囲に設けられた内部電極と、前記第１のボンディングパッドに設けられたボールバンプと、前記第１のボンディングパッド上の前記ボールバンプおよび前記内部電極を接続するボンディングワイヤと、前記第１の半導体チップおよび前記内部電極を被覆する絶縁樹脂とを有し、
前記ボンディングワイヤは、前記ボールバンプ上に固着され、
前記ボールバンプ上に一部残されてあるボンディングワイヤは、前記ボンディングワイヤのボールボンディングが活用されて設けられる半導体装置の製造方法であり、
先端にボールが配置されたキャピラリーを使い、前記第１のボンディングパッドに前記ボールを固着し、前記ボールの付け根付近の前記ボンディングワイヤが前記キャピラリーの内部に収納されないように、前記キャピラリーを上昇させ、
前記ボンディングワイヤの直径のほぼ３分の２を越える距離を前記キャピラリーを水平移動させることによって、細いボンディングワイヤを形成し、
前記細いボンディングワイヤが前記ボールと連続している状態で、前記ボンディングワイヤをクランプしてキャピラリーを上昇させることにより、前記細いボンディングワイヤを切断させて前記ボールバンプを形成することで解決するものである。
第２に、第１のボンディングパッドを有する第１の半導体チップと、第２のボンディングパッドを有し、前記第１のボンディングパッドを露出するように前記第１の半導体チップの上に固着された第２の半導体チップと、前記第１の半導体チップの周囲に設けられた内部電極と、露出した前記第１のボンディングパッドに設けられたボールバンプと、前記第２のボンディングパッド、前記第１のボンディングパッド上の前記ボールバンプおよび前記内部電極を接続するボンディングワイヤと、前記第１の半導体チップ、前記第２の半導体チップおよび前記内部電極を被覆する絶縁樹脂とを有し、
前記ボンディングワイヤは、前記ボールバンプ上に固着され、
前記ボールバンプ上に一部残されてあるボンディングワイヤは、前記ボンディングワイヤのボールボンディングが活用されて設けられる半導体装置の製造方法であり、
先端にボールが配置されたキャピラリーを使い、前記第１のボンディングパッドに前記ボールを固着し、前記ボールの付け根付近の前記ボンディングワイヤが前記キャピラリーの内部に収納されないように、前記キャピラリーを上昇させ、
前記ボンディングワイヤの直径のほぼ３分の２を越える距離を前記キャピラリーを水平移動させることによって、細いボンディングワイヤを形成し、
前記細いボンディングワイヤが前記ボールと連続している状態で、前記ボンディングワイヤをクランプしてキャピラリーを上昇させることにより、前記細いボンディングワイヤを切断させて前記ボールバンプを形成することで解決するものである。
第３に、  前記ボンディングワイヤをクランプし水平方向に移動させることにより、剪断しながら前記細いボンディングワイヤを形成することで解決するものである。
【０００９】
【発明の実施の形態】
以下に本発明の一実施の形態を図面を参照しながら詳細に説明する。
【００１０】
先ず、図１（Ａ）は本発明の半導体装置を示す断面図、図１（Ｂ）は要部拡大断面図である。
【００１１】
図中、１０、１１は各々第１と第２の半導体チップを示している。第１と第２の半導体チップ１０、１１のシリコン表面には、前工程において各種の能動、受動回路素子が形成されている。第１の半導体チップ１０の表面には外部接続用の第１のボンディングパッド１２ａが形成されている。同様に第２の半導体チップ１１の表面には第２のボンディングパッド１２ｂが形成されている。各チップ表面には各ボンディングパッド１２ａ、１２ｂを被覆するようにシリコン窒化膜、シリコン酸化膜、ポリイミド系絶縁膜などのパッシベーション皮膜が形成され、ボンディングパッド１２ａ、１２ｂの上部は電気接続のために開口されている。
【００１２】
絶縁性のフィルム基板１３は、これら第１と第２の半導体チップ１０、１１を支持する基板となる。フィルム基板１３の表面には金メッキ層によって導電パターンが描画されている。導電パターンは各ボンディングパッド１２ａ、１２ｂとバンプ電極２０とを各々接続するための内部電極１４とを形成する。
【００１３】
第１の半導体チップ１０は、前記アイランド部の上にエポキシ系絶縁接着剤１５により固着されている。第２の半導体チップ１１は第１の半導体チップ１０の前記パッシベーション皮膜上に絶縁性のエポキシ系接着剤１５により固着されている。但し第２の半導体チップ１１は第１のボンディングパッド１２ａを被覆しないチップサイズである。
【００１４】
第１のボンディングパッド１２ａの上部には、ボールバンプ１７が形成されている。ボールバンプ１７は、金ワイヤのボールボンディング手法を利用して、金ボール部分だけを残す形で形成したバンプ電極である。そして、第２のボンディングパッド１２ｂと内部電極１４とが、ボールバンプ１７を経由して、連続したボンディングワイヤ１８によって接続されている。ボンディングワイヤ１８は第２の電極パッド１２ｂ表面にボールボンドされ（ファーストボンド）、ボールバンプ１７の上部で一端ステッチボンドされ、そして内部電極１４表面で再度ステッチボンドされて接続されている。このボールバンプ１７は、ボンディングワイヤ１８を第１の電極パッド１２ａ上にセカンドボンド（ステッチボンド）する際に、ボンディングツールの先端が第１の半導体チップ１０の表面に直接当接する事を防止する緩衝剤となる。
【００１５】
複数のバンプ電極２０が、フィルム基板１３の裏面側に形成されている。フィルム基板１３には図示せぬ貫通孔が設けられており、この貫通孔を介して内部電極１４とバンプ電極２０とが接続している。
【００１６】
エポキシ系の熱硬化樹脂２１が、第１と第２の半導体チップ１０、１１の周囲を被覆する。熱硬化性樹脂２１はフィルム基板１３の上側を被覆して、パッケージ外形を形成する。
【００１７】
図２は、ボンディングワイヤ１８を形成するときのステップを示している。あらかじめ図２（Ａ）に示したように、第１の電極パッド１２ａ上にボールバンプ１７を形成しておき、キャピラリ３０を利用して第２の電極パッド１２ｂ上に金ボール３３をファーストボンドし、続いてキャピラリ３０を移動してボールバンプ１７上に金ワイヤ３２をステッチボンドし、この時に金ワイヤ３２を切断せずに連続させて延在させ、そして内部電極１４表面にセカンドボンドを行う。
【００１８】
第１と第２の半導体チップ１０、１１は、メモリ装置で組み合わせることが簡便である。例えば、第１と第２の半導体チップ１０、１１としてＥＥＰＲＯＭ（フラッシュメモリ）等の半導体記憶装置を用いた場合（第１の組み合わせ例）は、１つのパッケージで記憶容量を２倍、３倍・・・にすることができる。また、第１の半導体チップ１０にＥＥＰＲＯＭ（フラッシュメモリ）等の半導体記憶装置を、第２の半導体チップ１１にはＳＲＡＭ等の半導体記憶装置を形成するような場合（第２の組み合わせ例）も考えられる。
【００１９】
どちらの組み合わせの場合でも、各チップにはデータの入出力を行うＩ／Ｏ端子と、データのアドレスを指定するアドレス端子、及びデータの入出力を許可するチップイネーブル端子とを具備しており、両チップのピン配列が酷似している。そのため、第１と第２の半導体チップ１０、１１のＩ／Ｏ端子やアドレス端子用の内部電極１４を共用することが可能であり、各チップに排他的なチップイネーブル信号を印加することにより、どちらか一方の半導体チップのメモリセルを排他的に選択することが可能である。また、斯かる構成によって、第１と第２のボンディングパッド１２ａ、１２ｂを電気的に接続することが可能となる。
【００２０】
尚、第１と第２のボンディングパッド１２ａ、１２ｂを電気的に接続できない回路構成である場合は、第１のボンディングパッド１２ａを電気的に独立させて回路的な機能を持たないダミーのパッドとし、該ダミーパッド上にボールバンプ１７を形成して、図１のようにボンディングワイヤ１８で接続する。
【００２１】
図３は、ボールバンプ１７の製造方法を簡単に説明するための断面図である。
【００２２】
図３（Ａ）参照：キャピラリ３０の中心孔３１に直径が２０〜３０μ程度の金ワイヤ３２を挿通し、そのワイヤ３２の先端にあらかじめスパークなどの手段によって直径が６０〜８０μの金ボール３３を形成しておく。これを第１のボンディングパッド１２ａ上方に移動し、キャピラリ３０を下降させることにより、金ボール３３を電極パッド１２ａ表面に当接し、一定の圧力を加える。同時にキャピラリ３０を通して超音波振動を与え且つ加熱して、金ボール３３と第１のボンディングパッド１２ａとを固着する。
【００２３】
図３（Ｂ）参照：キャピラリ３０を垂直に上昇させ、再度垂直に下降させる。キャピラリ３０の先端と金ボール３３の上端（平坦部）との距離３４が１０〜３０μｍとなるような位置でキャピラリ３０を停止する。金ボール３３の付け根付近はキャピラリ３０内部に収納されず、露出した状態となる。
【００２４】
図３（Ｃ）参照：上記の距離３４を維持した上で、金ワイヤ３２の直径の３分の２を超える距離だけキャピラリ３０を水平移動する。例えば、キャピラリ１２先端部の穴の直径が４０μであるときは２５μ〜３５μだけ移動する。金ワイヤ３２はキャピラリ３０の先端部で途中まで剪断され、糸を引くように細い部分３５でかろうじて連続している状態となる。
【００２５】
本工程で剪断を与えるために、距離３４は重要な意味を持つ。この距離３４が大きすぎると金ワイヤ３２が塑性変形するだけで細い部分３５を作れなくなるし、距離３４が小さすぎると、接合した金ボール１７を剥がすことになる。キャピラリ３０の先端が、図３（Ｄ）に示したように、金ボール３３の付け根近傍で、塑性変形の影響を受けずに金ワイヤ３２が本来の直径Φ１を維持した部分の直ぐ上部に位置するようにコントロールする。
【００２６】
図３（Ｅ）参照：再びキャピラリ１２を垂直上昇させた状態を示している。金ワイヤ３２と金ボール３３とが細い部分３５だけで連続している状態を示した。
【００２７】
図３（Ｆ）参照：今まで解放していた図示せぬクランパを閉じて金ワイヤ３２を挟持し、上方に引き上げることで細い部分３５を完全に切断する。この様な工程により第１のボンディングパッド１２ａ上部にボールバンプ１７が形成される。
【００２８】
以上に説明した本発明の半導体装置は、第２のボンディングパッド１２ｂを第１のボンディングパッド１２ａに接続することによって、両者の距離が近いので、ボンディングワイヤ１８のループ長さを短くすることが可能である。従って、ループ高さ２２（図１）を低く押さえることができる。これは、第１の半導体チップ１０と第２の半導体チップ１１とのチップサイズの差が大きい場合に特に有効になる。そして、ボンディングワイヤ１８と第１の半導体チップ１０との接触事故を回避することができる。、更には、ボンディングワイヤの交差配置が無くなるので、両者の電気的短絡をも回避することができる。
【００２９】
【発明の効果】
以上に説明した通り、本発明によれば、１つのパッケージ内に複数の半導体チップ１０、１１を積層する事により、電子機器の軽薄短小化の要求に沿った高密度実装の製品を提供できる利点を有する。
【００３０】
また、ボンディングワイヤ１８と内部電極１４とを、第１のボンディングパッド１２ａを介して接続するので、パッド１２ｂからパッド１２ａまでのボンディングワイヤ１８の長さを短くできる利点を有する。これにより、ループ高さ２２を低く抑えることができるので、パッケージの厚みを薄形化できる利点を有する。
【００３１】
そして、第２のボンディングパッド１２ｂから内部電極１４に直接ワイヤボンドしないので、ボンディングワイヤ１８の交差が無くなり、電気的短絡という事故を防ぐ他、ボンディングワイヤ１８と第１の半導体チップ１０との接触をも防止することができる。
【００３２】
更に内部電極１４へのステッチボンドが１本で済むので、ボンディングエリアを小さくすることができ、半導体装置の小型化を図ることができる。
【図面の簡単な説明】
【図１】本発明を説明するための断面図である。
【図２】本発明を説明するための断面図である。
【図３】本発明を説明するための断面図である。
【図４】従来例を説明するための断面図である。
【図１】
0003869562.tif 000002
【図２】
0003869562.tif 000003
【図３】
0003869562.tif 000004
【図４】
0003869562.tif 000005